(57)【要約】【課題】  ウインドシールド等（例えば、フロントガラス）を通して表示装置内（例えば、反射部材）に所定の角度で入射された外光の影響を十分に低減させて視認性を確保すること、また、ホットスポット（輝点）を防止すること、画像ボケを防止すること、更にコントラストを向上させる表示装置を提供する。【解決手段】  表示光を照射する光照射部と、前記光照射部から照射される前記表示光を前記透光性部材へ反射させる反射部材と、前記表示光或いは外光の入射光角度により直線透過率が変化する異方性光拡散層であって、マトリックス領域と複数の柱状構造体とを有する異方性光拡散層とを少なくとも備えた異方性光学フィルムと、を備え、前記異方性光学フィルムが前記反射部材の反射面側に設けられたことを特徴とする。【選択図】  図１
2018025722.tif 000002
【特許請求の範囲】
【請求項１】
表示画像を表す表示光を透光性部材に向かって照射し、前記表示画像を虚像として視認可能に表示する表示装置であって、
前記表示光を照射する光照射部と、
前記光照射部から照射される前記表示光を前記透光性部材へ反射させる反射部材と、
前記表示光或いは外光の入射光角度により直線透過率が変化する異方性光拡散層であって、マトリックス領域と複数の柱状構造体とを有する異方性光拡散層とを少なくとも備えた異方性光学フィルムと、
を備え、
前記異方性光学フィルムが前記反射部材の反射面側に設けられた表示装置。
【請求項２】
前記異方性光学フィルムの前記表示光或いは外光が入射される側に、拡散部材が設けられた請求項１に記載の表示装置。
【請求項３】
前記異方性光拡散層に対して入射した光の直線方向の透過光量／入射した光の光量である直線透過率が最大となる入射光角度における直線透過率である最大直線透過率が２０％以上９０％未満であり、
前記直線透過率が最小となる入射角における直線透過率である最小直線透過率が１０％以下であり、
前記異方性光拡散層は、前記直線透過率が低下するほど入射した光の拡散透過率が増加する請求項１に記載の表示装置。
【請求項４】
前記異方性光拡散層は、１つの散乱中心軸を有し、
前記異方性光拡散層は、所定の角度範囲で入射した前記表示光或いは外光に対して拡散性が増加し直線透過率が最小値を示すと共に、前記所定の角度範囲以外の角度で入射した前記表示光或いは外光に対して拡散性が減少し直線透過率が最大値を示し、
前記所定の角度範囲は、前記散乱中心軸方向で入射する入射光角度を基準として−２０°〜＋２０°であり、
前記所定の角度範囲以外の角度範囲は、前記散乱中心軸方向で入射する入射光角度を基準として−３０°〜−６０°または＋３０°〜＋６０°である、請求項１に記載の表示装置。
【請求項５】
前記異方性光拡散層の前記直線透過率が最小となる入射光角度と、前記表示光が前記異方性光拡散層へ入射される入射光角度或いは入射光角度に対する正反射光角度との差が、−２０°〜＋２０°の範囲内である請求項１に記載の表示装置。
【請求項６】
前記複数の柱状構造体は、前記異方性光拡散層の一方の表面から他方の表面にかけて配向して構成され、平均短径と平均長径とのアスペクト比が２未満である請求項１に記載の表示装置。
【請求項７】
前記複数の柱状構造体は、前記異方性光拡散層の一方の表面から他方の表面にかけて配向して構成され、平均短径と平均長径とのアスペクト比が２以上であることを特徴とする請求項１に記載の表示装置。
【請求項８】
前記表示光が照射される前記透光性部材に異方性光学フィルムが設けられた請求項１に記載の表示装置。
【発明の詳細な説明】
【技術分野】
【０００１】
本発明は、移動体等に搭載可能であって、移動体等のウインドシールド等に表示画像を照射することにより、表示画像の虚像を視認可能にする表示装置に関する。
【背景技術】
【０００２】
従来から、車両等の移動体の乗員に対して経路案内や障害物の警告等の運転情報を提供する情報提供手段として、様々な手段が用いられている。例えば、移動体に設置された液晶ディスプレイによる表示や、スピーカから出力する音声等である。そして、近年、このような情報提供手段の一つとして、ヘッドアップディスプレイ（ＨＵＤ）装置が車両等に搭載されている。
【０００３】
ヘッドアップディスプレイ装置は、一般的に車両のインストルメントパネル内部に装置本体が配置される。そして、この装置本体内部の表示部上に表示される表示画像を表す表示光を、拡大系ミラー等の反射部材を含む光路を経由して、車両のウインドシールド（フロントガラス）、又はコンバイナと呼ばれる光学部材（ハーフミラー）等の照射エリアに向けて照射（投射、投影）し、運転者の視点位置から見て所定距離の位置に虚像を結像させる。
【０００４】
これにより、運転者は、通常の運転姿勢で前方を見る時に、ウインドシールドを通して見える前方の風景や自車の車体の一部分と共に、ヘッドアップディスプレイ装置によって照射（投射、投影）された表示画像を視認することができる。運転者が視認する表示画像は、ウインドシールドの面よりも前方の、例えば視点から数ｍ程度の距離の位置に虚像として結像されるので、運転者は運転中に目の焦点調節を行うことなく前方の風景と共にヘッドアップディスプレイの表示画像を同時に認識できる。
【０００５】
車両用のヘッドアップディスプレイ装置に関連する従来技術が、例えば特許文献１に開示されている。特許文献１においては、外光が明るい条件下でも視認性のよいヘッドアップディスプレイ装置を提供するために、反射ミラー上に反射指向性を有する拡散層を積層した技術が開示されている。
【先行技術文献】
【特許文献】
【０００６】
【特許文献１】特開２０１０−２５６８６７号公報
【発明の概要】
【発明が解決しようとする課題】
【０００７】
車両のヘッドアップディスプレイ装置は、一般的に、運転者の視点の位置から見える虚像が、車両のウインドシールド等（例えば、フロンドガラス）の前方に結像するように表示光の表示画像を照射（投射、投影）する。従って、車両を運転する運転者は、ウインドシールド等（例えば、フロントガラス）を通して前方を見る際に、前方の風景や自車の車体の一部分（例えば、ボンネット）等の対象物を重なった状態で、ヘッドアップディスプレイ装置の表示画像を虚像として視認することができる。
【０００８】
しかしながら、例えば、晴天時の昼間のように太陽からの強い外光が到来するような状況においては、ヘッドアップディスプレイ装置が表示する虚像の光量と比べて、外光の光量が大きくなるため、外光の影響を受けて虚像の表示を視認しにくい状態になる。そのため、例えば、特許文献１に開示されているように、反射ミラー上に反射指向性を有する拡散層を積層することで、外光の影響を抑えることが有効である場合もある。
【０００９】
しかし、ヘッドアップディスプレイ装置は照射（投射、投影）した虚像により表示を行うので、例えば、晴天時の昼間のように外光の強度が非常に大きい時であり、ウインドシールド等（例えば、フロントガラス）を通してヘッドアップディスプレイ装置内（例えば、反射ミラー）に所定の角度で外光が入射された場合には、仮に、反射ミラー上に反射指向性を有する拡散層を積層していたとしても、外光の影響が大きすぎるために十分な視認性を確保できないという問題がある。
【００１０】
本発明は、上述した事情に鑑みてなされたものであり、その目的は、外光の影響が大きい時であり、ウインドシールド等（例えば、フロントガラス）を通して表示装置内（例えば、反射ミラー）に所定の角度で入射された外光の影響を十分に低減させて視認性を確保すること、また、ホットスポット（輝点）を防止すること、画像ボケを防止すること、更にコントラストを向上させる表示装置を提供することにある。
【課題を解決するための手段】
【００１１】
上記課題を解決するために、本発明の表示装置は、
表示光を照射する光照射部と、
前記光照射部から照射される前記表示光を前記透光性部材へ反射させる反射部材と、
前記表示光或いは外光の入射光角度により直線透過率が変化する異方性光拡散層であって、マトリックス領域と複数の柱状構造体とを有する異方性光拡散層とを少なくとも備えた異方性光学フィルムと、
を備え、
前記異方性光学フィルムが前記反射部材の反射面側に設けられたことを特徴とする。
【発明の効果】
【００１２】
本発明によれば、ウインドシールド等（例えば、フロントガラス）を通して表示装置内（例えば、反射部材）に所定の角度で入射された外光の影響を十分に低減させて視認性を確保することができる。
【図面の簡単な説明】
【００１３】
【図１】本実施の形態（第１の実施形態）による車両の側方から見た表示装置の車両への設置状態及び光路を示す概略構成図である。
【図２】本実施の形態によるピラー構造及びルーバー構造の柱状領域を有する異方性光学フィルム（異方性光拡散層）の構造と、これらの異方性光学フィルムに入射した透過光の様子の一例を示す模式図である。
【図３】本実施の形態による異方性光学フィルムの光拡散性の評価方法を示す説明図である。
【図４】本実施の形態による図２に示したピラー構造及びルーバー構造の異方性光学フィルム（異方性光拡散層）への入射光角度と直線透過率との関係を示すグラフである。
【図５】本実施の形態による拡散領域と非拡散領域を説明するためのグラフである。
【図６】本実施の形態による異方性光学フィルムにおけるピラー構造とルーバー構造を有する異方性光拡散層の構成例を示す模式図であり、（ａ）がルーバー構造、（ｂ）がピラー構造である。
【図７】異方性光拡散層における散乱中心軸を説明するための３次元極座標表示である。
【図８】本実施の形態による光照射部から照射される表示光が異方性光学フィルム（異方性光拡散層）に入射或いは正反射される角度（光照射部と異方性光学フィルムとの配置関係）を説明する図である。
【図９】本実施の形態による図１において、外光が反射部材に設けられた異方性光フィルム（異方性光拡散層）によって透過される様子を説明する図である。
【図１０】本実施の形態（第２の実施形態）において、異方性光学フィルム（異方性光拡散層）に拡散部材を積層した構成を示す図である。
【図１１】本実施の形態（第３の実施形態）において、拡散部材に偏光部材を積層した構成を示す図である。
【図１２】本実施の形態（第４の実施形態）において、車両の側方から見た表示装置の車両への設置状態を示す概略構成図であって、ウインドシールドに異方性光学フィルム（異方性光拡散層）が設けられた構成を示す図である。
【図１３】本実施の形態（第５の実施形態）において、車両の側方から見た表示装置の車両への設置状態を示す概略構成図であって、コンバイナが設けられた構成を示す図である。
【発明を実施するための形態】
【００１４】
以下に、実施の形態について図面を用いて説明する。
【００１５】
（第１の実施形態）
＜＜表示装置３の配置および虚像５０と光路の説明＞＞
まず、本実施の形態に係る表示装置としてのヘッドアップディスプレイ装置３（以下、ＨＵＤ装置と称する）について説明する。ＨＵＤ装置３は、一般的な車両に搭載されて用いられる。図１は、車両の側方から見たＨＵＤ装置３の車両への設置状態および光路を示す概略構成図である。なお、以下の説明では、静止状態にある車両において重力に沿う方向を下方向とし、下方向とは反対の方向を上方向とする。
【００１６】
図１に示すように、ＨＵＤ装置３は、光照射部３１と、反射部材３２と、異方性光拡散層１００と、を主な構成として備えている。
【００１７】
＜虚像５０と光路Ｌ＞
ＨＵＤ装置３は、ウインドシールド４０の投射エリア４１上に光照射部３１から照射される表示画像を表す表示光Ｌを、反射部材３２、異方性光拡散層１００を介して照射（投射、投影）させる。そして、運転者のアイポイント（視点）ＥＰと投射エリア４１とを結ぶ線の車両前方延長線上に、表示画像を結像させ、表示画像を虚像５０として形成する。この結果、運転者のアイポイント（視点）ＥＰからウインドシールド４０を通じて車両前方の景色と虚像５０とを運転者に同時に視認させるものである。
【００１８】
従って、運転者は視点をほとんど動かす必要がなく、目の焦点調節も不要であるため非常に良好な視認性が得られる。但し、朝、昼、夕方における太陽光等の外光が強い場合には、虚像５０の光量が外光に比べて小さくなるため、視認性が極端に低下する可能性がある。
【００１９】
＜ウインドシールド４０＞
ウインドシールド４０（透光性部材）は、車両のフロント側のウインドシールド（フロントガラス）であり、例えば２枚のガラスとその中間に設けられる中間膜とから形成された合わせガラスが使用されている。ウインドシールド４０は、車両上方から見た場合の左右方向、および車両側方から見た場合のウインドシールド４０のラインに沿う方向にわずかな曲率を有しており、凹面鏡と同一の効果により、表示画像を拡大してより遠方に表示できるようになっている。ウインドシールド４０は、車両前方から入射する光を透過する透光性を有するので、運転者は車両前方の景色と虚像５０とを同時に視認することができる。
【００２０】
なお、図１では、表示光Ｌを照射（投射、投影）する投射エリア４１をウインドシールド４０とし、ウインドシールド４０で反射した表示光Ｌを運転者が視認する例について説明するが、ウインドシールド４０の代わりに透光性を有する透光性部材（例えば、コンバイナや異方性光学フィルム等）を用いる構成としてもよい。
【００２１】
＜表示画像＞
光照射部３１から照射される表示画像としては、例えば、車両用ナビゲーションシステムにおける地図情報、地図上における自車の現在位置情報、あるいは目的地への案内情報等とすることができる。また、表示画像としては、車両走行時における車両情報としての、車速、エンジン回転数、エンジン冷却水温、およびバッテリ電圧等の情報としてもよい。
【００２２】
＜ＨＵＤ装置３の配置例＞
図１に示すように、ＨＵＤ装置３は、ウインドシールド４０の下方向のインストルメントパネル内部（不図示）に収容されている。ＨＵＤ装置３は、筐体３０と、筐体３０の一部に設けられた開口部３３とを有し、この開口部３３から、インストルメントパネルの外側に向けて表示画像を表す表示光Ｌを照射することができる。また、インストルメントパネルには、表示光Ｌをウインドシールド４０に通すために、例えば、開口部３３と同じ大きさの開口窓（不図示）が設けられている。なお、開口部３３には、塵や埃がＨＵＤ装置３内へ侵入するのを防止するために、例えば、アクリル等からなる透光性カバー（防塵カバー）を設けてもよい。
【００２３】
ＨＵＤ装置３は、車両のウインドシールド４０の下方向に設けられる筐体３０を有しており、この筐体３０内に、光照射部３１と、反射部材３２と、異方性光拡散層１００と、が設けられている。
【００２４】
＜光照射部３１＞
光照射部３１は、表示画像を表す表示光Ｌを照射する部材である。例えば、映像投射装置である。映像投射装置は、例えば、図示しないプロジェクターやバックライト付きの液晶ディスプレイから構成される。
【００２５】
バックライトは、光源として、例えば、ＬＥＤ光源が使用されている。バックライトは、液晶ディスプレイに対する光軸に沿うように光を照射するようになっている。液晶ディスプレイは、表示画像を表す表示光Ｌを照射する表示器としての機能を有する。
【００２６】
液晶ディスプレイは、バックライトから照射される光によって、表面に形成した表示画像を表示光Ｌとして、バックライトとは反対側となる反射部材３２に向けて照射するようになっている。液晶ディスプレイの表示光Ｌを照射する面は、例えば、図１の上下方向（図１の車両前後方向に対して垂直方向）を向いており、また、表示光の光軸が車両の前後方向を向くように（照射方向が車両の前方側を向くように）配置されている。
【００２７】
なお、光照射部３１は、液晶ディスプレイのみならず、反射型液晶パネルを使用したＬＣｏＳ方式や、ＬＥＤから照射した光をマイクロミラーでスキャンして表示画像を生成するＤＬＰ方式や、レーザー光源から照射した光をスキャンして表示画像を生成するレーザー方式で構成してもよい。
【００２８】
＜反射部材３２＞
反射部材３２は、光照射部３１からの表示画像を表す表示光Ｌを、開口部３３を通して、ウインドシールド４０の投射エリア４１に反射させて光路を変更する部材である。
【００２９】
反射部材３２は、例えば、樹脂（例えば、ポリカーボネート、ガラス、ポリエステル等）に金属（例えば、アルミニウム等）を蒸着させ反射面を形成させたものであり、表示光Ｌを単に反射する通常のミラーである。
【００３０】
また、反射部材３２は、表示光Ｌを反射及び拡大する非球面ミラー（例えば、凹面鏡）であってもよい。反射部材３２は、筐体３０の所定位置に固定されたものであり、筐体３０に対して着脱可能とされている。
【００３１】
なお、反射部材３２の個数や種類は、上述した構成に制限されるものではなく、適宜設計された構成の反射部材３２が用いられる。例えば、反射部材３２を１つだけでなく、光照射部３１からの表示光Ｌの光路を変更するための反射鏡と、反射鏡によって反射された表示光Ｌを拡大する凹面鏡との２つによって構成してもよい。
【００３２】
また、反射部材３２を、２つの非球面ミラー（第１非球面ミラーと第２非球面ミラー）で構成してもよい。この場合、第１非球面ミラーが光照射部３１からの表示光Ｌを第２非球面ミラーに向けて反射し、第２非球面ミラーが第１非球面ミラーからの反射光をウインドシールド４０に向けて反射する。これらの第１非球面ミラー及び第２非球面ミラーは、光路変更作用、及び表示像の拡大作用を有する。
【００３３】
＜異方性光学フィルム（異方性光拡散層）１００＞
筐体３０内には、反射部材３２の反射面側に入射した表示光或いは外光に対して入射光角度により直線透過率が変化する、すなわち入射光角度依存性を有する異方性光学フィルム（異方性光拡散層）１００が設けられている。異方性光学フィルム（異方性光拡散層）１００については、以下に詳述する。なお、反射部材３２と異方性光学フィルム（異方性光拡散層）１００とは、例えば、透明粘着層（不図示）を介して積層されていればよい。
【００３４】
＜＜＜主な用語の定義＞＞＞
ここで、異方性光学フィルム（異方性光拡散層）１００に関して、主な用語の定義をしておく。
「異方性光学フィルム」とは、異方性光拡散層が単層（一層のみ）の場合、異方性光拡散層が２層以上積層されて構成された場合、異方性光拡散層が単層であり一方の面に他の層（例えば、粘着層）を設けられて構成された場合、異方性光拡散層が単層であり両方の面に他の層（例えば、粘着層）を設けて構成された場合等を含むことを意味する。従って、例えば、異方性光拡散層が単層の場合には、単層の異方性光拡散層が異方性光学フィルムであることを意味する。また、例えば、異方性光拡散層が単層であり両方の面に透明粘着層を設けた場合には、単層の異方性光拡散層と両方の面に設けられた透明粘着層を含めた構成が異方性光学フィルムであることを意味する。
「異方性光拡散層」は、光の拡散、透過及び拡散分布が、光の入射角度によって変化する入射光角度依存性を有する異方性及び指向性を有するものである（詳細は後述する）。従って、入射角依存性が無い指向性拡散フィルム、等方性拡散フィルム、特定方位に配向する拡散フィルムとは異なるものである。
「低屈折率領域」と「高屈折率領域」は、本発明に係る異方性光学フィルムを構成する材料の局所的な屈折率の高低差により形成される領域であって、他方に比べて屈折率が低いか高いかを示した相対的なものである。これらの領域は、異方性光学フィルムを形成する材料が硬化する際に形成される。
【００３５】
「散乱中心軸」とは、異方性光学フィルムへの入射光角度を変化させた際に光拡散性がその入射光角度を境に略対称性を有する光の入射光角度と一致する方向を意味する。「略対称性を有する」としたのは、散乱中心軸がフィルムの法線方向に対して傾きを有する場合には、光学特性（後述する「光学プロファイル」）が厳密には対称性を有しないためである。散乱中心軸は、異方性光学フィルムの断面の傾きを光学顕微鏡によって観察することや、異方性光学フィルムを介した光の投影形状を入射光角度を変化させて観察することにより確認することができる。
【００３６】
また、「直線透過率」とは、一般に、異方性光学フィルムに対して入射した光の直線透過性に関し、ある入射光角度から入射した際に、直線方向の透過光量と、入射した光の光量との比率であり、下記式で表される。
直線透過率（％）＝（直線透過光量／入射光量）×１００
【００３７】
また、本発明においては、「散乱」と「拡散」の両者を区別せずに使用しており、両者は同じ意味を示す。更に、「光重合」及び「光硬化」の意味を、光重合性化合物が光により重合反応することとし、両者を同義語で用いることとする。
【００３８】
以下、図面を参照しながら、本発明の好適な実施の形態について詳細に説明する。なお、本明細書及び図面においては、同一の符号が付された構成要素は、実質的に同一の構造又は機能を有するものとする。
【００３９】
＜＜＜異方性光学フィルムの構造と特性＞＞＞
図２〜図５を参照しながら、本形態に係る異方性光学フィルムについて説明する前提として、従来技術に係る単層の異方性光学フィルム（本形態で言う「異方性光拡散層」が一層のみの場合の異方性光学フィルム）の構造と特性について説明する。
【００４０】
図２は、ピラー構造及びルーバー構造の柱状領域を有する単層の異方性光学フィルムの構造と、これらの異方性光学フィルムに入射した透過光の様子の一例を示す模式図である。図３は、異方性光学フィルムの光拡散性の評価方法を示す説明図である。図４は、図２に示したピラー構造及びルーバー構造の異方性光学フィルムへの入射光角度と直線透過率との関係を示すグラフである。図５は、拡散領域と非拡散領域を説明するためのグラフである。
【００４１】
＜＜異方性光学フィルムの基本的な構造＞＞
異方性光学フィルムとは、フィルムの膜厚方向に、フィルムのマトリックス領域とは屈折率の異なる領域が形成されたフィルムである。屈折率の異なる領域の形状は、特に制限されるものではないが、例えば、図２（ａ）に示すように、マトリックス領域１１中に、短径と長径のアスペクト比の小さな柱状（例えば、棒状）に形成された屈折率の異なる柱状領域１３が形成された異方性光学フィルム（ピラー構造の異方性光学フィルム）１０や、図２（ｂ）に示すように、マトリックス領域２１中に、アスペクト比の大きな柱状（例えば、略板状）に形成された屈折率の異なる柱状領域２３が形成された異方性光学フィルム（ルーバー構造の異方性光学フィルム）２０等がある。
【００４２】
＜＜異方性光学フィルムの特性＞＞
上述した構造を有する異方性光学フィルムは、当該フィルムへの入射光角度により光拡散性が異なる光拡散フィルム、すなわち入射光角度依存性を有する光拡散フィルムである。この異方性光学フィルムに所定の入射光角度で入射した光は、屈折率の異なる領域の配向方向（例えば、ピラー構造における柱状領域１３の延在方向（配向方向）やルーバー構造における柱状領域２３の高さ方向(異方性光学フィルムの厚さ方向)）と略平行である場合には拡散が優先され、当該方向に平行でない場合には透過が優先される。
【００４３】
ここで、図３及び４を参照しながら、異方性光学フィルムの光拡散性についてより具体的に説明する。ここでは、上述したピラー構造の異方性光学フィルム１０と、ルーバー構造の異方性光学フィルム２０の光拡散性を例に挙げて説明する。
【００４４】
光拡散性の評価方法は、以下のようにして行う。まず、図３に示すように、異方性光学フィルム１０、２０を、光源１と検出器２との間に配置する。本形態においては、光源１からの照射光Ｉが、異方性光学フィルム１０、２０の法線方向から入射する場合を入射光角度０°とした。また、異方性光学フィルム１０、２０は直線Ｖを中心として、任意に回転させることができるように配置され、光源１及び検出器２は固定されている。すなわち、この方法によれば、光源１と検出器２との間にサンプル（異方性光学フィルム１０、２０）を配置し、サンプル表面の直線Ｌを中心軸として角度を変化させながらサンプルを直進透過して検出器２に入る直線透過率を測定することができる。
【００４５】
異方性光学フィルム１０、２０を、それぞれ、図２のＴＤ方向（異方性光学フィルムの幅方向の軸）を図３に示す回転中心の直線Ｌに選んだ場合における光拡散性を評価し、得られた光拡散性の評価結果を図４に示した。図４は、図３に示す方法を用いて測定した図２に示す異方性光学フィルム１０、２０が有する光拡散性（光散乱性）の入射光角度依存性を示すものである。図４の縦軸は、散乱の程度を示す指標である直線透過率（本形態では、所定の光量の平行光線を入射させたときに、入射方向と同じ方向に出射された平行光線の光量の割合、より具体的には、直線透過率＝異方性光学フィルム１０、２０がある場合の検出器２の検出光量（入射した光の直線方向の透過光量）／異方性光学フィルム１０、２０がない場合の検出器２の検出光量（入射した光の光量））を示し、横軸は異方性光学フィルム１０、２０への入射光角度を示す。図４中の実線は、ピラー構造の異方性光学フィルム１０の光拡散性を示し、破線は、ルーバー構造の異方性光学フィルム２０の光拡散性を示している。なお、入射光角度の正負は、異方性光学フィルム１０、２０を回転させる方向が反対であることを示している。
【００４６】
図４に示すように、異方性光学フィルム１０、２０は、入射光角度によって直線透過率が変化する光拡散性の入射光角度依存性を有するものである。ここで、図４のように光拡散性の入射光角度依存性を示す曲線を以下、「光学プロファイル」と称する。光学プロファイルは、光拡散性を直接的に表現しているものではないが、直線透過率が低下することで逆に拡散透過率が増加（増大）していると解釈すれば、概ね光拡散性を示しているといえる。言い換えると、直線透過率が低下するほど入射した光の拡散透過率が増加することになる。通常の等方的な光拡散フィルムでは、０°付近をピークとする山型の光学プロファイルを示すが、異方性光学フィルム１０、２０では、柱状領域１３、２３の中心軸（厚み）方向、すなわち、散乱中心軸方向（この方向の入射光角度を０°とする。）で入射する場合の直線透過率と比較して、−２０°〜＋２０°の入射光角度で一旦直線透過率が最小値になり、その入射光角度（の絶対値）が大きくなるにつれて直線透過率が大きくなり、−６０°〜−３０°または＋３０°〜＋６０°の入射光角度で直線透過率が最大値となる谷型の光学プロファイルを示す。このように、異方性光学フィルム１０、２０は、入射光が散乱中心軸方向に近い−２０°〜＋２０°の入射光角度範囲では強く拡散されるが、入射光角度の絶対値がそれよりも大きい入射光角度範囲では、拡散が弱まり直線透過率が高まるという性質を有する。
【００４７】
ここで、図４に示されるように、所定の角度範囲で入射した光（表示光或いは外光）に対して拡散性が増加（増大）し直線透過率が最小値を示す性質（光学プロファイル）、すなわち所定の角度範囲では、光の拡散が優先される性質（光学プロファイル）を有しており、更に、図４に示されるように、所定の角度範囲以外の角度で入射した光（表示光或いは外光）に対して拡散性が減少し直線透過率が最大値を示す性質（光学プロファイル）、すなわち所定の角度範囲以外では、光の透過が優先される性質（光学プロファイル）を有しているような性質を「異方性」と称する。すなわち、光の入射光角度に依存して光の拡散及び透過が変化することを意味している。光の拡散が優先される前記所定の角度範囲とは、上述したように、散乱中心軸方向（この方向の入射光角度を０°とする。）で入射する場合の直線透過率と比較して、例えば、−２０°〜＋２０°の入射光角度の範囲をいう。さらに、光の透過が優先される前記所定の角度範囲以外とは、上述したように、散乱中心軸方向（この方向の入射光角度を０°とする。）で入射する場合の直線透過率と比較して、例えば、−６０°〜−３０°または＋３０°〜＋６０°の入射光角度の範囲をいう。
【００４８】
また、光の拡散分布が、拡散角度により異なる性質を「指向性」と称するが、本発明の場合、光の拡散分布が、拡散角度により異なるだけでなく、光の入射光角度によって変化する入射光角度依存性をさらに有した拡散分布を示す。つまり、光の拡散、透過及び拡散分布が、光の入射角度によって変化する入射光角度依存性を有する異方性及び指向性を有するものである。
【００４９】
また、以下、最大直線透過率と最小直線透過率との中間値の直線透過率に対する２つの入射光角度の角度範囲を拡散領域（この拡散領域の幅を「拡散幅」）と称し、それ以外の入射光角度範囲を非拡散領域（透過領域）と称する。
【００５０】
ここで、図５を参照しながら、ルーバー構造の異方性光学フィルム２０を例に挙げて拡散領域と非拡散領域について説明する。図５は、図４のルーバー構造の異方性光学フィルム２０の光学プロファイルを示したものであるが、図５に示すように、最大直線透過率（図５の例では、直線透過率が約７８％）と最小直線透過率（図５の例では、直線透過率が約６％）との中間値の直線透過率（図５の例では、直線透過率が約４２％）に対する２つの入射光角度の間（図５に示す光学プロファイル上の２つの黒点の位置の２つの入射光角度の内側）の入射光角度範囲が拡散領域となり、それ以外（図５に示す光学プロファイル上の２つの黒点の位置の２つの入射光角度の外側）の入射光角度範囲が非拡散領域となる。
【００５１】
ピラー構造の異方性光学フィルム１０では、図２（ａ）の透過光の様子を見ればわかるように、透過光は略円形状となっており、ＭＤ方向とＴＤ方向とで略同一の光拡散性を示している。すなわち、ピラー構造の異方性光学フィルム１０では、拡散は方位的に見れば等方性を有する。また、図４の実線で示すように、入射光角度を変えても光拡散性（特に、非拡散領域と拡散領域との境界付近における光学プロファイル）の変化が比較的緩やかであるため、輝度の急激な変化による違和感を生じないという効果がある。しかしながら、異方性光学フィルム１０では、図４の破線で示されたルーバー構造の異方性光学フィルム２０の光学プロファイルと比較すれば理解できるように、非拡散領域における直線透過率が低いため、表示特性（輝度やコントラスト等）がやや低下してしまうという問題もある。また、ピラー構造の異方性光学フィルム１０は、ルーバー構造の異方性光学フィルム２０と比較して、拡散領域の幅も狭い、という問題もある。尚、ピラー構造とすることで、方位角による拡散の指向性はないが、拡散の分布に対しては指向性を有する特性となる。
【００５２】
他方、ルーバー構造の異方性光学フィルム２０では、図２（ａ）の透過光の様子を見ればわかるように、透過光は、略針状となっており、ＭＤ方向とＴＤ方向とで光拡散性が大きく異なる。すなわち、ルーバー構造の異方性光学フィルム２０では、拡散は方位角によって大きく拡散特性が異なる指向性を有する。具体的には、図２に示す例では、ＭＤ方向ではピラー構造の場合よりも拡散が広がっているが、ＴＤ方向ではピラー構造の場合よりも拡散が狭まっている。また、図４の破線で示すように、入射光角度を変えると、（本形態の場合、ＴＤ方向において）光拡散性（特に、非拡散領域と拡散領域との境界付近における光学プロファイル）の変化が極めて急峻であるため、異方性光学フィルム２０を表示装置に適用した場合、輝度の急激な変化となって現れ、違和感を生じさせるおそれがあった。加えて、ルーバー構造の異方性光学フィルムは光の干渉（虹）が生じやすい、という問題もある。しかしながら、異方性光学フィルム２０では、非拡散領域における直線透過率が高く、表示特性を向上させることができるという効果がある。特に、優先される拡散の方位（図２ではＭＤ方向）の視野角を広げたい方向と一致させることで、意図する特定方向に視野角を広げることが可能となる。
【００５３】
＜＜＜本形態に係る異方性光学フィルムの構成＞＞＞
図６を参照しながら、本形態に係る異方性光学フィルム１００の構成について説明する。図６は、本形態に係る異方性光学フィルム１００における異方性光拡散層１１０及び１２０の構成の一例を示す図である。なお、以下においては、異方性光学フィルム１００とした場合、単に、異方性光拡散層１１０及び１２０を有する異方性光拡散層を示す場合がある。
【００５４】
＜＜全体構成＞＞
図６に示すように、異方性光学フィルム１００は、入射光角度により直線透過率が変化する２つの異方性光拡散層１１０又は１２０を有する異方性光学フィルムである。
【００５５】
異方性光拡散層１１０は、マトリックス領域１１１と、マトリックス領域１１１とは屈折率が異なる複数の柱状構造体１１３（柱状領域）とを有する。異方性光拡散層１２０は、マトリックス領域１２１と、マトリックス領域１２１とは屈折率が異なる複数の柱状構造体１２３（柱状領域）とを有する。ここで、単に、柱状領域と表現する場合には、柱状領域には、ピラー領域及びルーバー領域とを含む。また、単に柱状構造体と表現する場合には、柱状構造体には、ピラー構造及びルーバー構造とを含む。
【００５６】
以下、このような、異方性光拡散層１１０又は異方性光拡散層１２０を有する異方性光学フィルム１００について詳述する。
【００５７】
＜＜異方性光拡散層１１０＞＞
異方性光拡散層１１０は、上述したルーバー構造（異方性光学フィルム２０と同様の構成）を有しており、入射光角度により直線透過率が変化する光拡散性を有している。また、異方性光拡散層１１０は、光重合性化合物を含む組成物の硬化物からなり、図６Ａに示すように、マトリックス領域１１１と、当該マトリックス領域１１１とは屈折率の異なる複数の柱状構造体１１３（柱状領域）を有している。この柱状構造体１１３の配向方向（延在方向）Ｐは、散乱中心軸と平行になるように形成されており、異方性光拡散層１１０が所望の直線透過率及び拡散性を有するように適宜定められている。なお、散乱中心軸と柱状領域の配向方向とが平行であるとは、屈折率の法則（Ｓｎｅｌｌの法則）を満たすものであればよく、厳密に平行である必要はない。Ｓｎｅｌｌの法則は、屈折率ｎ１の媒質から屈折率ｎ２の媒質の界面に対して光が入射する場合、その入射光角度θ１と屈折角θ２との間に、ｎ１ｓｉｎθ１＝ｎ２ｓｉｎθ２の関係が成立するものである。例えば、ｎ１＝１（空気）、ｎ２＝１．５１（異方性光学フィルム）とすると、入射光角度が３０°の場合、柱状領域の配向方向（屈折角）は約１９°となるが、このように入射光角度と屈折角が異なっていてもＳｎｅｌｌの法則を満たしていれば、本形態においては平行の概念に包含される。
【００５８】
なお、異方性光拡散層１１０としては、柱状構造体１１３の配向方向がフィルムの膜厚方向（法線方向）と一致しないものであってもよい。この場合、異方性光拡散層１１０においては、入射光が法線方向から所定角度傾いた方向（すなわち、柱状構造体１１３の配向方向）に近い入射光角度範囲（拡散領域）では強く拡散されるが、それ以上の入射光角度範囲（非拡散領域）では拡散が弱まり直線透過率が高まるという性質を有する。
【００５９】
＜柱状構造体１１３＞
本形態に係る柱状構造体１１３は、マトリックス領域１１１中に、複数の柱状の硬化領域として設けられており、各々の柱状構造体１１３は、それぞれ配向方向が散乱中心軸と平行になるように形成されたものである。従って、同一の異方性光拡散層１１０における複数の柱状構造体１１３は、互いに平行となるように形成されている。
【００６０】
マトリックス領域１１１の屈折率は、柱状構造体１１３の屈折率と異なっていればよいが、屈折率がどの程度異なるかは特に限定されず、相対的なものである。マトリックス領域１１１の屈折率が柱状構造体１１３の屈折率よりも低い場合、マトリックス領域１１１は低屈折率領域となる。逆に、マトリックス領域１１１の屈折率が柱状構造体１１３の屈折率よりも高い場合、マトリックス領域１１１は高屈折率領域となる。ここで、マトリックス領域１１１と柱状構造体１１３の界面における屈折率は漸増的に変化するものであることが好ましい。漸増的に変化させることで、入射光角度を変えた場合の拡散性の変化が極めて急峻となりギラツキを生じやすくなる問題が発生し難くなる。マトリックス領域１１１と柱状構造体１１３を光照射に伴う相分離によって形成することで、マトリックス領域１１１と柱状構造体１１３の界面の屈折率を漸増的に変化させることができる。
【００６１】
柱状構造体１１３の配向方向に垂直な断面形状は、図６Ａに示すように、短径ＳＡと長径ＬＡを有する。短径ＳＡと長径ＬＡは異方性光拡散層１１０を光学顕微鏡で観察することによって確認することができる（詳細は後述する）。柱状構造体１１３の断面形状は、後述するアスペクト比の範囲（２以上）を満足するものが好適であるが、特に制限されるものではない。例えば、図６Ａでは、柱状構造体１１３の断面形状を楕円形状に示しているが、柱状構造体１１３の断面形状は、特に限定されるものではない。
【００６２】
＜＜異方性光拡散層１２０＞＞
異方性光拡散層１２０は、ピラー構造（異方性光学フィルム１０と同様の構成）を有しており、入射光角度により直線透過率が変化する光拡散性を有している。また、図６Ｂに示すように、異方性光拡散層１２０は、光重合性化合物を含む組成物の硬化物からなり、マトリックス領域１２１と、当該マトリックス領域１２１とは屈折率の異なる複数の柱状構造体１２３を有している。複数の柱状構造体１２３並びにマトリックス領域１２１は、不規則な分布や形状を有するが、異方性光拡散層１２０の全面にわたって形成されることで、得られる光学特性（例えば、直線透過率等）は略同じとなる。複数の柱状構造体１２３並びにマトリックス領域１２１が不規則な分布や形状を有するため、本形態に係る異方性光拡散層１２０は、光の干渉（虹）が発生することが少ない。
【００６３】
＜柱状構造体１２３＞
本形態に係る柱状構造体１２３は、マトリックス領域１２１中に、複数の柱状の硬化領域として設けられており、各々の柱状構造体１２３は、それぞれ配向方向が散乱中心軸と平行になるように形成されたものである。従って、同一の異方性光拡散層１２０における複数の柱状構造体１２３は、互いに平行となるように形成されている。
【００６４】
マトリックス領域１２１の屈折率は、柱状領域の屈折率と異なっていればよいが、屈折率がどの程度異なるかは特に限定されず、相対的なものである。マトリックス領域１２１の屈折率が柱状領域の屈折率よりも低い場合、マトリックス領域１２１は低屈折率領域となる。逆に、マトリックス領域１２１の屈折率が柱状領域の屈折率よりも高い場合、マトリックス領域１２１は高屈折率領域となる。
【００６５】
柱状構造体１２３の配向方向に垂直な断面形状は、図６Ｂに示すように、短径ＳＡと長径ＬＡを有する。柱状構造体１２３の断面形状は、後述するアスペクト比の範囲（２未満）を満足することが好適である。例えば、図６Ｂでは、柱状構造体１２３の断面形状を円形状に示しているが、柱状構造体１２３の断面形状は、円形状に限定されるものではなく、楕円形状、多角形状、不定形状、これらの入り混じっているもの等、特に限定されるものではない。
【００６６】
＜＜柱状構造体の形状＞＞
＜柱状構造体１１３及び柱状構造体１２３のアスペクト比＞
複数の柱状構造体１１３は、短径ＳＡの平均値（平均短径）と長径ＬＡの平均値（平均長径）のアスペクト比（＝平均長径／平均短径）が２以上であることが好ましく、２以上５０未満であることがより好ましく、２以上１０以下であることが更に好ましく、２以上５以下であることが特に好ましい。
【００６７】
複数の柱状構造体１２３は、短径ＳＡの平均値（平均短径）と平均長径ＬＡの平均値（平均長径）のアスペクト比（＝平均長径／平均短径）が２未満であることが好ましい。また、柱状領域１２３の平均短径ＳＡと平均長径ＬＡのアスペクト比が、１．５未満であることが好ましく、１．２未満であることがより好ましい。
【００６８】
本形態に係る異方性光学フィルム１００は、複数の柱状構造体１１３及び複数の柱状構造体１２３の平均短径と平均長径のアスペクト比を共に上記好適範囲とすることにより、より高いレベルにて各種特性をバランス良く有する異方性光学フィルムとすることができる。
【００６９】
＜柱状構造体１１３及び柱状構造体１２３の平均短径及び平均長径＞
また、複数の柱状構造体１１３の短径ＳＡの平均値（平均短径）は０．５μｍ以上であることが好ましく、１．０μｍ以上であることがより好ましく、１．５μｍ以上であることが更に好ましい。一方、複数の柱状構造体１１３の短径ＳＡの平均値（平均短径）は５．０μｍ以下であることが好ましく、４．０μｍ以下であることがより好ましく、３．０μｍ以下であることが更に好ましい。これら複数の柱状構造体１１３の平均短径の下限値及び上限値は、適宜組み合わせることができる。
【００７０】
更に、複数の柱状構造体１１３の長径ＬＡの平均値（平均長径）は０．５μｍ以上であることが好ましく、１．０μｍ以上であることがより好ましく、１．５μｍ以上であることが更に好ましい。一方、複数の柱状構造体１１３の長径ＬＡの長さの平均値（平均長径）は１００μｍ以下であることが好ましく、５０μｍ以下であることがより好ましく、３０μｍ以下であることが更に好ましい。これら複数の柱状構造体１１３の平均長径の下限値及び上限値は、適宜組み合わせることができる。
【００７１】
また、複数の柱状構造体１２３の短径ＳＡの平均値（平均短径）は０．５μｍ以上であることが好ましく、１．０μｍ以上であることがより好ましく、１．５μｍ以上であることが更に好ましい。一方、複数の柱状構造体１２３の短径ＳＡの平均値（平均短径）は５．０μｍ以下であることが好ましく、４．０μｍ以下であることがより好ましく、３．０μｍ以下であることが更に好ましい。これら複数の柱状構造体１２３の平均短径の下限値及び上限値は、適宜組み合わせることができる。
【００７２】
更に、複数の柱状構造体１２３の長径ＬＡの平均値（平均長径）は０．５μｍ以上であることが好ましく、１．０μｍ以上であることがより好ましく、１．５μｍ以上であることが更に好ましい。一方、複数の柱状構造体１２３の長径ＬＡの平均値（平均長径）は８．０μｍ以下であることが好ましく、５．０μｍ以下であることがより好ましく、３．０μｍ以下であることが更に好ましい。これら複数の柱状構造体１２３の平均長径の下限値及び上限値は、適宜組み合わせることができる。
【００７３】
本形態に係る異方性光学フィルム１００は、複数の柱状構造体１１３及び複数の柱状構造体１２３の平均短径及び平均長径を共に上記好適範囲とすることにより、より高いレベルにて各種特性をバランス良く有する異方性光学フィルムとすることができる。
【００７４】
なお、本形態における複数の柱状構造体１１３及び複数の柱状構造体１２３の、短径ＳＡの平均値（平均短径）及び長径ＬＡの平均値（平均長径）は、異方性光拡散層１２０の表面を顕微鏡で観察し、任意に選択した１００個の柱状構造体１１３及び柱状構造体１２３の短径ＳＡ、長径ＬＡを計測し、これらの平均値を求めればよい。また、柱状構造体のアスペクト比としては、上記で求めた長径ＬＡの平均値（平均長径）を短径ＳＡの平均値（平均短径）で除した値を用いる。
【００７５】
＜柱状構造体１１３及び１２３が形成される領域の厚み＞
複数の柱状構造体１１３及び１２３の厚さＴは、１０μｍ〜２００μｍであるのが好ましく、２０μｍ以上１００μｍ未満であることがより好ましく、２０μｍ以上５０μｍ未満であることが更に好ましい。厚さＴが２００μｍを超える場合、材料費がよりかかるだけでなく、ＵＶ照射にかかる費用も増すため、コストがかかるだけなく、厚さＴ方向での拡散性増加により、画像ボケやコントラスト低下が起こりやすくなる。また、厚さＴが１０μｍ未満の場合、光の拡散性及び集光性を十分なものとすることが難しい場合がある。本発明では、厚さＴを該規定範囲内とすることにより、コストの問題を少なくし、光の拡散性及び集光性に優れ、かつ、厚さＴ方向での光拡散性低下により、画像ボケが発生し難くなり、コントラストも向上させることができる。
【００７６】
＜＜異方性光学フィルム１００の性質＞＞
上述したように、異方性光学フィルム１００は、異方性光拡散層１１０又は１２０を有する。より具体的には、異方性光拡散層１１０は、ルーバー構造（好適にはアスペクト比が２以上の柱状領域を有する領域）を有する。異方性光拡散層１２０は、ピラー構造（好適にはアスペクト比が２未満の柱状領域を有する領域）を有する。以下、このような異方性光学フィルム１００の性質に関して説明する。
【００７７】
＜直線透過率＞
ここで、直線透過率が最大となる入射光角度で異方性光学フィルム１００（異方性光拡散層１１０及び１２０）に入射した光の直線透過率を「最大直線透過率」と定義すると、異方性光学フィルム１００（異方性光拡散層１１０及び１２０）は、最大直線透過率が２０％以上であることが好ましく、３０％以上であることがより好ましく、５０％以上であることが更に好ましく、７０％以上であることが更により好ましく、９０％未満であることが尚更に好ましい。
【００７８】
なお、直線透過率が最小となる入射光角度で異方性光拡散層１１０又は１２０に入射した光の直線透過率を「最小直線透過率」と定義することができる。なお、最小直線透過率は、１０％以下であることが好ましい。
【００７９】
異方性光学フィルム１００の最大直線透過率を上記範囲とすることにより、適度な異方性とすることができるため、異方性光学フィルム１００の適用範囲を広くすることができる。例えば、表示装置に異方性光学フィルム１００を使用する場合、異方性が強すぎると、ＭＤ方向への光の拡散・集光性に極めて優れるものの、ＴＤ方向への光の拡散・集光性が不十分となりやすい問題がある。本形態に係る異方性光学フィルム１００は、上記の最大直線透過率を有することで、ＭＤ方向への優れた光の拡散・集光性を維持した上で、ＴＤ方向への光の拡散・集光性を十分に備えるものである。
【００８０】
ここで、直線透過光量及び直線透過率は、図３に示す方法によって測定することができる。すなわち、図３に示す回転軸Ｖと、図６Ａ及び図６Ｂに示すＣ−Ｃ軸を一致させるようにして、入射光角度毎に直線透過光量及び直線透過率を測定する（法線方向を０°とする）。得られたデータより光学プロファイルが得られ、この光学プロファイルから最大直線透過率及び最小直線透過率を求めることができる。
【００８１】
また、異方性光学フィルム１００（異方性光拡散層１１０及び１２０）における最大直線透過率及び最小直線透過率は、製造時の設計パラメータによって調整することができる。パラメータの例としては、塗膜の組成、塗膜の膜厚、構造形成時に与える塗膜への温度等が挙げられる。塗膜の組成は構成成分を適宜選択し調合することで、最大直線透過率及び最小直線透過率は変化する。設計パラメータでは、膜厚が厚いほど最大直線透過率及び最小直線透過率は低くなりやすく、薄いほど高くなりやすい。温度が高いほど最大直線透過率及び最小直線透過率は低くなりやすく、低いほど高くなりやすい。これらのパラメータの組み合わせにより、最大直線透過率及び最小直線透過率のそれぞれを適宜調節することが可能である。
【００８２】
＜拡散幅＞
上記方法により、異方性光学フィルム１００の最大直線透過率と最小直線透過率を求め、最大直線透過率と最小直線透過率との中間値の直線透過率を求める。この中間値の直線透過率に対する２つの入射光角度を読み取る。光学プロファイルにおいては、法線方向を０°とし、入射光角度をマイナス方向及びプラス方向で示している。従って、入射光角度及び交点に対応する入射光角度はマイナスの値を有する場合がある。２つの交点の値がプラスの入射光角度値と、マイナスの入射光角度値を有するものであれば、マイナスの入射光角度値の絶対値とプラスの入射光角度値の和が入射光の拡散領域の角度範囲である、拡散幅となる。２つの交点の値が両方ともプラスである場合、より大きい値からより小さい値を引いた差が入射光角度の角度範囲である拡散幅となる。２つの交点の値が両方ともマイナスである場合、それぞれの絶対値をとり、より大きい値からより小さい値を引いた差が入射光角度の角度範囲である拡散幅となる。
【００８３】
異方性光学フィルム１００においては、最大直線透過率と最小直線透過率との中間値の直線透過率に対する２つの入射光角度の角度範囲である拡散領域の幅（拡散幅）が、ＭＤ方向において、１０°以上７０°未満であることが好適であり、３０°以上５０°未満であることがより好適である。また、ＴＤ方向において、５°以上５０°未満であることが好適であり、２０°以上３０°未満であることが更に好適である。該規定範囲外である場合、すなわち拡散幅が広くなりすぎる場合には、集光性が弱まってしまい、拡散幅が狭くなりすぎる場合には、拡散性が弱まることで表示性や視認性が低下してしまう。すなわち本発明は、拡散幅が該規定の範囲内であることにより、拡散性及び集光性のバランスが取れ、更に輝度の急激な変化の抑制効果を高めることが可能となるのである。
【００８４】
＜散乱中心軸＞
次に、図７を参照しながら、異方性光拡散層における散乱中心軸Ｐについて説明する。図７は、異方性光学フィルム１００（異方性光拡散層）における散乱中心軸Ｐを説明するための３次元極座標表示である。
【００８５】
異方性光拡散層は、少なくとも１つの散乱中心軸を有するが、この散乱中心軸は、上述したように、異方性光拡散層への入射光角度を変化させた際に光拡散性がその入射光角度を境に略対称性を有する光の入射光角度と一致する方向を意味する。なお、このときの入射光角度は、異方性光拡散層の光学プロファイルを測定し、この光学プロファイルにおける最小値に挟まれた略中央部（拡散領域の中央部）となる。
【００８６】
また、上記散乱中心軸は、図７に示すような３次元極座標表示によれば、異方性光拡散層１１０、１２０の表面をｘｙ平面とし、法線をｚ軸とすると、極角θと方位角φとによって表現することができる。つまり、図７中のＰｘｙが、上記異方性光拡散層の表面に投影した散乱中心軸の長さ方向ということができる。
【００８７】
ここで、異方性光拡散層１１０は、柱状領域１１３を有し、異方性光拡散層１２０は、柱状領域１２３を有する。異方性光拡散層（異方性光拡散層１１０又は１２０）の法線（図７に示すｚ軸）と、柱状領域１１３（柱状領域１２３）とのなす極角θ（−９０°＜θ＜９０°）を本形態における散乱中心軸角度と定義すると、柱状領域１１３の散乱中心軸角度と、柱状領域１２３の散乱中心軸角度との差の絶対値が、０°以上３０°以下であることが好ましい。散乱中心軸角度の差の絶対値を上記範囲とすることで、本発明の効果をより高めることが可能となる。この効果をより効果的に実現するためには、柱状領域１１３の散乱中心軸角度と柱状領域１２３の散乱中心軸角度との差の絶対値が０°以上２０°以下であることがより好ましく、１０°以上２０°以下であることが更に好ましい。なお、柱状領域１１３及び柱状領域１２３の散乱中心軸角度は、これらを製造する際に、シート状の光重合性化合物を含む組成物に照射する光線の方向を変えることで、所望の角度に調整することができる。
【００８８】
また、上記散乱中心軸角度（極角）の差の絶対値が上記範囲を満たすことに加えて、柱状領域１１３の散乱中心軸の方位角と柱状領域１２３の散乱中心軸の方位角との差の絶対値が０°以上２０°以下であることが好ましい。これにより、異方性光学フィルム１００の非拡散領域における直線透過率を低下させることなく、拡散領域の幅を更に拡大することが可能となる。
【００８９】
ここで、異方性光拡散層１１０、１２０の各々は、単一層中に、傾きの異なる柱状領域群（同一の傾きを有する柱状領域の集合）を複数有していてもよい。この散乱中心軸角度の差の絶対値の下限は５°であることがより好ましい。一方、散乱中心軸角度の差の絶対値の上限は、２０°であることがより好ましく、１５°であることが更に好ましい。
【００９０】
また、柱状領域１１３及び柱状領域１２３の散乱中心軸Ｐの極角θ（すなわち、散乱中心軸角度）が±０〜６０°であることが好ましく、±０〜３０°であることがより好ましい。散乱中心軸角度が＋６０°より大きく−６０°未満では、コントラストや輝度を十分に向上させることができない。
【００９１】
＜屈折率＞
異方性光拡散層１１０、１２０は、光重合性化合物を含む組成物を硬化したものであるが、この組成物としては、次のような組み合わせが使用可能である。
（１）単独の光重合性化合物を使用するもの
（２）複数の光重合性化合物を混合使用するもの
（３）単独又は複数の光重合性化合物と、光重合性を有しない高分子化合物とを混合して使用するもの
【００９２】
上記いずれの組み合わせにおいても、光照射により異方性光拡散層１１０、１２０中に、屈折率の異なるミクロンオーダーの微細な構造が形成されると推察されており、これにより、本形態に示される特異な異方性光拡散特性が発現されるものと思われる。従って、上記（１）では、光重合の前後における屈折率変化が大きい方が好ましく、また、（２）、（３）では屈折率の異なる複数の材料を組み合わせることが好ましい。なお、ここでの屈折率変化や屈折率の差とは、具体的には、０．０１以上、好ましくは０．０５以上、より好ましくは０．１０以上の変化や差を示すものである。
【００９３】
図８は、ＨＵＤ装置３内に設けられた光照射部３１から照射される表示光Ｌが上述した異方性光学フィルム（異方性光拡散層）１００に入射或いは入射した表示光Ｌが正反射される角度、すなわち、光照射部３１と異方性光学フィルム（異方性光拡散層）１００との配置関係を説明する図である。
【００９４】
異方性光学フィルム（異方性光拡散層）１００は、散乱中心軸方向（この方向の入射光角度を０°とする。例えば、図８で示すＰ）で入射する場合の直線透過率と比較して、−２０°〜２０°の入射光角度で一旦直線透過率が最小値になる。つまり、異方性光学フィルム（異方性光拡散層）１００は、入射光が散乱中心軸方向に近い−２０°〜２０°の入射光角度範囲では強く拡散される（光の拡散が優先される）。
【００９５】
一方、異方性光学フィルム（異方性光拡散層）１００は、散乱中心軸方向（この方向の入射光角度を０°とする。例えば、図８で示すＰ）で入射する場合の直線透過率と比較して、−６０〜−３０°、または、＋３０°〜＋６０°の入射光角度で直線透過率が最大値となる。つまり、異方性光学フィルム（異方性光拡散層）１００は、−２０〜＋２０°以上の入射光角度範囲では拡散が弱まり直線透過率が高まる（光の透過が優先される）。
【００９６】
このような異方性光学フィルム（異方性光拡散層）１００の性質を踏まえ、ＨＵＤ装置３内に設けられる光照射部３１と異方性光学フィルム（異方性光拡散層）１００との配置関係を規定する必要がある。
【００９７】
図８に示すように、散乱中心軸方向Ｐ（この方向の入射光角度を０°とする。）で入射する入射光角度を基準として、異方性光学フィルム（異方性光拡散層）１００の直線透過率が最小となる入射光角度（図４参照）と、光照射部３１から照射される表示光Ｌが異方性光学フィルム（異方性光拡散層）１００に入射される入射光角度との差が−２０〜２０°の範囲内であること。或いは、散乱中心軸方向Ｐ（この方向の入射光角度を０°とする。）で入射する入射光角度を基準として、異方性光学フィルム（異方性光拡散層）１００の直線透過率が最小となる入射光角度（図４参照）と、光照射部３１から照射される表示光Ｌが異方性光学フィルム（異方性光拡散層）１００に入射された入射光に対して反射される正反射光角度との差が−２０°〜＋２０°の範囲内であることが必要である。
【００９８】
つまり、図８で示すように入射光角度側を＋、正反射光角度側を−とすると、散乱中心軸方向Ｐ（この方向の入射光角度を０°とする。）で入射する入射光角度を基準として、異方性光学フィルム（異方性光拡散層）１００の直線透過率が最小となる入射光角度と、光照射部３１から照射される表示光Ｌの異方性光学フィルム（異方性光拡散層）１００に入射される入射光角度又は正反射光角度との差が、−２０°〜＋２０°の範囲内であることが必要である。
【００９９】
このように、上記関係に基づいてＨＵＤ装置３内の光照射部３１と異方性光学フィルム（異方性光拡散層）１００とを配置することにより、表示光Ｌについては、散乱中心軸方向Ｐに近い、例えば、−２０°〜＋２０°の入射光角度範囲で入射された表示光Ｌが強く拡散され、かつ、その拡散光は入射光角度範囲に対応した所定の範囲（例えば、−２０°〜＋２０°）だけ拡散される。これにより、画像ボケが発生し難くなり、コントラストを向上させることができる。他方、外光が、上記±２０°以外から入射された場合には、外光は、入射してきた方向を維持しながら異方性光学フィルム（異方性光拡散層）１００を透過し、反射部材３２で正反射されることになるので、光照射部３１から離れる方向へ導かれ、光照射部３１の前面に入射されにくくなる。これにより、外光の影響を十分に低減させることができる。その結果、外光の影響を十分に低減させて、コントラストを高めることで、十分な視認性を確保することができる。なお以降では、全て、図８の入射光角度、正反射光角度及び正負の符号に基づくものとする。
【０１００】
図９は、ＨＵＤ装置３内の反射部材３２に設けられた異方性光拡散層１００によって太陽光等の外光Ｍが透過される様子を説明する図である。
【０１０１】
異方性光学フィルム（異方性光拡散層）１００は、上述したように、散乱中心軸方向（この方向の入射光角度を０°とする。）で入射する場合の直線透過率と比較して、−２０°〜＋２０°の入射光角度で一旦直線透過率が最小値になり、その入射光角度（の絶対値）が大きくなるにつれて直線透過率が大きくなり、−６０°〜−３０°または＋３０°〜＋６０°の入射光角度で直線透過率が最大値となる谷型の光学プロファイルを示す。
【０１０２】
このように、異方性光学フィルム（異方性光拡散層）１００は、入射光が散乱中心軸方向に近い−２０°〜＋２０°の入射光角度範囲では強く拡散されるが（光の拡散が優先）、それ以上の入射光角度範囲では拡散が弱まり直線透過率が高まる（光の透過が優先）という性質を有する。
【０１０３】
まず、図９に示すように、異方性光学フィルム（異方性光拡散層）１００の散乱中心軸方向に対する光照射部３１から照射される表示光Ｌの入射光角度を、例えば、約１０°とする。
【０１０４】
この場合、光照射部３１から照射される表示光Ｌが、散乱中心軸方向に近い−２０°〜＋２０°の入射光角度範囲である。当該範囲内では、拡散性が高い範囲であることから光の拡散が優先される。このため、表示光Ｌは、強く拡散され、かつ、その拡散光は入射光角度範囲に対応した所定の範囲（例えば、−２０°〜＋２０°）に拡散される。その結果、拡散された表示光Ｌは、ウインドシールド４０上の所定の範囲だけに照射（投射、投影）される。これにより、拡散性及び集光性のバランスが取れることから、表示画像がボケることなく明瞭（コントラストを向上させて）にウインドシールド４０上に照射（投射、投影）することができる。
【０１０５】
次に、異方性光学フィルム（異方性光拡散層）１００の散乱中心軸方向に対するウインドシールド４０を通して入射される太陽光等の外光Ｍの入射光角度を、例えば、約５０°とする。
【０１０６】
この場合、外光Ｍが、散乱中心軸方向から離れた−６０°〜−３０°または＋３０°〜＋６０°の入射光角度範囲である。当該範囲内では、拡散性が弱まり、直線透過率が大きく（最大）となり、光の透過が優先される。このため、外光Ｍは、入射してきた方向を維持しながら異方性光学フィルム（異方性光拡散層）１００を透過する。その結果、異方性光学フィルム（異方性光拡散層）１００を透過した外光Ｍは、反射部材３２で正反射されることになる。このため、外光Ｍは、光照射部３１から離れる方向へ導かれ、光照射部３１の前面に入射されにくくなる。これにより、外光の影響を十分に低減させることができる。
【０１０７】
このように、指向性と異方性とを兼ね備えた入射光角度依存性を有する異方性光学フィルム（異方性光拡散層）１００を使用することで、外光の影響を十分に低減させつつ、コントラストを高めることができる。
【０１０８】
（第２の実施形態）
第２の実施形態のＨＵＤ装置３について、図１０を用いて説明する。第２の実施形態は、第１の実施形態に対して、拡散部材６０を異方性光拡散層１００上（表示光或いは外光の入射側）に設けたことである。なお、第１の実施形態と同一構成及び同一構造部分は、同一符号を付して説明をする。
【０１０９】
上述したように、ＨＵＤ装置３の筐体３０内には光照射部３１が設けられている。光照射部３１が表示する虚像の光量と比べて外光の光量が大きくなるとき、外光の影響を受けて虚像の表示を視認しにくい状態になることがある。このため、光照射部３１からの光量（輝度）を大きく（強く）すると、光照射部３１からの表示光Ｌの光量が反射部材３２によって反射され、異方性光拡散層１００によって光を過度に拡散（散乱）させてしまい、ホットスポット（輝点）を生じさせる原因となる。ウインドシールド４０上にホットスポット（輝点）が生じるとギラツキとなって現れ、眩しくなり、視認性が低下する原因となる。
【０１１０】
そこで、第２の実施形態のように、拡散部材６０を異方性光拡散層１００上に設けることで、異方性光拡散層１００で拡散された表示光Ｌが、拡散部材６０によってさらに拡散されることで拡散性が拡大し、ホットスポット（輝点）を生じさせる原因を抑制することができる。
【０１１１】
拡散部材６０は、拡散フィルムや拡散板、拡散層等であり、外光が入射された場合に一定の角度の拡散性を有するものであればよく、特にその形状や構成は限定されない。
【０１１２】
なお、拡散部材６０と異方性光学フィルム（異方性光拡散層）１００との間、或いは、異方性光学フィルム（異方性光拡散層）１００と反射部材３２の間は、それぞれ、例えば、透明粘着層（不図示）を介して積層されていればよい。
【０１１３】
（第３の実施形態）
第３の実施形態のＨＵＤ装置３について、図１１を用いて説明する。第３の実施形態は、第２の実施形態に対して、偏光部材７０を拡散部材６０上に設けたことである。なお、第１、第２の実施形態と同一構成及び同一構造部分は、同一符号を付して説明をする。
【０１１４】
上述したように、例えば、晴天時の昼間のように太陽からの強い外光が到来するような状況においては、ＨＵＤ装置３が表示する虚像の光量と比べて外光の光量が大きくなるため、外光の影響を受けて虚像の表示を視認しにくい状態になることがある。つまり、ウインドシールド４０の外側から入射して来る外光Ｍが反射部材３２で反射されて光照射部３１まで達してしまい、表示画像が相対的に薄くなくなってしまう結果、虚像５０が見えにくくなる現象（いわゆるウオッシュアウト）を起こすという問題がある。
【０１１５】
そこで、第３の実施形態のように、偏光部材７０を拡散部材６０上に設けることで、ウインドシールド４０を通して入射された太陽光等の外光の光量については、原則的には５０％の光量が、偏光部材７０で吸収されて約半分に低減するので、光照射部３１の前面に入射される外光の光量も約半分となり、外光による表示画像の視認低下を抑制することができる。
【０１１６】
また、第３の実施形態では、偏光部材７０に加えて、拡散部材６０と異方性光拡散層１００が設けられている。拡散部材６０が設けられていることによって偏光部材７０を通過した外光が、拡散部材６０によって拡散されるため、光照射部３１の前面に入射される外光の光量をさらに低減することができる。
【０１１７】
さらに、異方性光拡散層１００が設けられていることによって、拡散部材６０によって拡散された外光が、異方性光拡散層１００への入射光角度に応じて光照射部３１の前面に外光を届けなくすることが可能となる。この結果、入射される外光の光量をさら低減することができ、外光による表示画像の視認低下を更に抑制することができる。
【０１１８】
偏光部材７０は、偏光板や偏光フィルム等である。また、太陽光等の外光に含まれる特定方向の偏光光を反射する偏光子であり、例えば、ワイヤグリッド偏光子により構成することができる。なお、偏光部材７０は、これに限られず、太陽光等の外光を特定方向に偏光させ、特定方向に偏光させた光以外は吸収（遮断）するものであればよい。また、特にその形状や構成は限定されない。
【０１１９】
なお、偏光部材７０は、拡散部材６０と同時に使用する必要は必ずしもなく、例えば、異方性光拡散層１００と偏光部材７０との組み合わせだけにしてもよい。
【０１２０】
（第４の実施形態）
第４の実施形態のＨＵＤ装置３について、図１２を用いて説明する。第４の実施形態は、第１の実施形態に対して、異方性光拡散層４００をウインドシールド４０の下部に設けたことである。なお、第１〜第３の実施形態と同一構成及び同一構造部分は、同一符号を付して説明をする。また、異方性光拡散層４００は、上述した異方性光拡散層１００と同様のものとして説明する。
【０１２１】
上述したように、ＨＵＤ装置３の筐体３０内には光照射部３１が設けられている。光照射部３１からの表示光Ｌがウインドシールド４０に照射されるとき、光照射部３１からの表示光Ｌは、ウインドシールド４０の内面（運転者側）で反射された反射光（虚像光）を受けて運転者の肉眼により認識される場合と、ウインドシールド４０の外面まで進入して反射された反射光の両方（２重虚像光）を受けて認識される場合とが生じることがある。従って、このような場合には、表示画像の視認性を低下させる要因となっていた。
【０１２２】
そこで、第４の実施形態のように、上述した異方性光拡散層４００をウインドシールド４０の下部に設けることによって、光照射部３１からの表示光Ｌがウインドシールド４０に照射されると、表示光Ｌは、異方性光拡散層４００によって拡散されることになる。また、異方性光拡散層４００によって拡散性及び集光性のバランスを取ることが可能となるため、２重虚像光を防止することができると共にコントラストを向上させることもできる。さらに、特定の方向から太陽光等の強い外光が入射することにより、表示画像が視認できなくなることを抑制することもできる。
【０１２３】
また、反射部材３２の反射面側に異方性光拡散層１００を設け、ウインドシールド４０の下部に異方性光拡散層４００を設ける構成とした。これにより、光照射部３１からの表示光Ｌについては、入射光角度に応じて拡散性及び集光性のバランスを更にとることが可能となるため、２重虚像光を防止しつつ、画像ボケが発生し難くなり、かつ、コントラストを向上させることができる。他方、外光については、入射光角度に応じて異方性光拡散層４００によって拡散され、拡散された拡散光が入射光角度に応じて異方性光拡散層１００によって更に拡散されるので、外光Ｍは、光照射部３１から離れる方向へ導かれ、光照射部３１の前面に入射されにくくなる。これにより、外光の影響を十分に低減させることができる。
【０１２４】
なお、異方性光拡散層４００は、ウインドシールド４０の一部の領域に設けてもよいし、又は、ウインドシールド４０の全体に設けてもよい。また、異方性光拡散層４００は、異方性光拡散層１００と同時に使用する必要は必ずしもなく、異方性光拡散層４００だけの構成としてもよい。また、異方性光拡散層４００は、公知の異方性光拡散層を利用可能である。
【０１２５】
（第５の実施形態）
第５の実施形態のＨＵＤ装置３について、図１３を用いて説明する。第５の実施形態は、第１の実施形態に対して光照射部３１から照射される表示光Ｌを、投射エリア４１をウインドシールド４０ではなく、コンバイナ３４にしたものである。なお、第１〜第４の実施形態と同一構成及び同一構造部分は、同一符号を付して説明をする。
【０１２６】
ＨＵＤ装置３は、図示しないインストルメントパネル（不図示）の内部に収容されている。ＨＵＤ装置３は、筐体３０と、筐体３０の一部に設けられた開口部３３とを有し、この開口部３３から、インストメントルパネルの外側に向けて表示光Ｌを照射することができる。
【０１２７】
図１３に示すように、筐体３０の上方或いはインストメントルパネル上には、少し傾斜した状態で起立した薄板形状のコンバイナ３４が設置されている。コンバイナ３４は光学素子であり、光の反射、透過および合成の機能を有している。すなわち、コンバイナ３４は右側の面に入射した光を反射してアイポイント（視点）ＥＰに導き、左側の面に入射した光を透過してアイポイント（視点）ＥＰに導く。従って、ウインドシールド４０が外側から入射してコンバイナ３４を透過した光と、ＨＵＤ装置３から照射されコンバイナ３４で反射した光とが合成されてアイポイント（視点）ＥＰに結像される。なお、コンバイナ３４は、筐体３０の上方或いはインストメントルパネルの一部の領域に設けてもよいし、又は、筐体３０の上方或いはインストメントルパネルの全体に設けてもよい。
【０１２８】
ＨＵＤ装置３内には、光照射部３１が設けられている。光照射部３１は、表示画像を表す表示光Ｌを照射する部材であり、例えば、図示しないバックライト付きの液晶ディスプレイから構成される。この液晶ディスプレイの表示画像はバックライトにより照射され、右側に向かって照射（投射、投影）される。この投影光は、反射部材３２の表面で反射され、開口部３３の外側に配置されているコンバイナ３４の表面に向かう。
【０１２９】
従って、液晶ディスプレイの表示画像に対応する照射光（投射光）は、液晶ディスプレイ、異方性光拡散層１００、反射部材３２、異方性光拡散層１００、コンバイナ３４を順に経由する光路を通ってアイポイント（視点）ＥＰに結像される。実際には、コンバイナ３４及び反射部材３２が反射した像が結像されるので、運転者がアイポイントで見る画像は、コンバイナ３４及びウインドシールド４０よりも前方に虚像５０として見ることが可能となる。
【０１３０】
ここで、ウインドシールド４０は、車種等によって形状や傾きが異なるため、車両ごとに最適な光の偏光方向は異なる。例えば、小型車両のウインドシールドは、大型車両のウインドシールドよりもインストメントルパネルに対しての傾斜角度が大きい。また、小型車両のように、インストルメントパネル内のスペースが比較的小さい車両においては、インストルメントパネル内にＨＵＤ装置３を搭載すると、ステアリングの車両前方側に設けられて各種車両情報を表示する表示部（コンビネーションメータ）が、車両の後方側（インストルメントパネルの運転者側と反対側の方向）に追いやられることになる。そうすると、表示部（コンビネーションメータ）への車外の光の映り込み、あるいは表示部（コンビネーションメータ）からウインドシールド４０、或いはサイドウインドウ等への映り込みが生じやすくなってしまう。このため、小型車両の場合には、コンバイナを用いた方がより好ましい。
【０１３１】
なお、上述した実施の形態は、特定のものに対して適用されると限定的に解すべきでなく、どのような組み合わせであってもよい。
【０１３２】
例えば、図１０で示した反射部材３２、異方性光拡散層１００、拡散部材６０と、図１２で示したウインドシールド４０の下部に設けた異方性光拡散層４００とを組み合せてもよい。また、図１０で示した反射部材３２、異方性光拡散層１００、拡散部材６０と、図１３で示したコンバイナ３４とを組み合せてもよい。さらに、図１１で示した反射部材３２、異方性光拡散層１００、拡散部材６０、偏光部材７０と、図１２で示したウインドシールド４０の下部に設けた異方性光拡散層４００とを組み合せてもよい。さらにまた、図１１で示した反射部材３２、異方性光拡散層１００、拡散部材６０、偏光部材７０と、図１３で示したコンバイナ３４とを組み合せてもよい。
【０１３３】
また、図１では、反射部材３２の反射面側に異方性光拡散層１００を１枚設けた例を示したが、これに限らず、例えば、反射部材３２の反射面側に異方性光拡散層１００を２枚（以上）積層する構成としてもよい。上述したように、異方性光拡散層１００は、散乱中心軸方向に近い−２０°〜＋２０°入射光角度範囲で入射された表示光Ｌが強く拡散され、かつ、その拡散光は入射光角度範囲に対応した所定の範囲（例えば、−２０°〜＋２０°）だけ拡散される。この性質を有する異方性光拡散層１００を、例えば、２枚積層することにより、拡散された表示光Ｌが、ウインドシールド４０上の所定の範囲だけに照射（投射、投影）されることになる。これにより、入射光角度に応じて拡散性及び集光性のバランスを更にとることが可能となるため、ホットスポット（輝点）を抑制する拡散を行いつつ、画像ボケが発生し難くなり、かつ、コントラストを向上させることができる。さらに、外光の影響を更に低減させることができる。
【０１３４】
また、ＨＵＤ装置３を自動車に適用する際に、ウインドシールド４０と、ＨＵＤ装置３内に設けられる光照射部３１と反射部材３２と、の配置関係が固定される。配置関係が固定されるということは、ウインドシールド４０を通して反射部材３２に入射される外光Ｍ或いは表示光Ｌの入射光角度が変わらないということである。
【０１３５】
このような状況下で、入射光角度依存性を有する異方性光学フィルム（異方性光拡散層）１００を使用することに意義がある。すなわち、指向性と異方性とを兼ね備えた異方性光学フィルム（異方性光拡散層）１００を使用することで、光照射部３１から照射された表示画像を表す表示光Ｌについては、散乱中心軸方向に近い−２０°〜＋２０°の入射光角度範囲で入射された表示光Ｌが強く拡散され、かつ、その拡散光は入射光角度範囲に対応した所定の範囲（例えば、−２０°〜＋２０°）だけ拡散される。つまり、入射光角度に応じて拡散性及び集光性のバランスが取れるため、画像ボケが発生し難くなり、コントラストを向上させることができる。他方、外光Ｍについては、入射光角度に応じて入射してきた方向を維持しながら異方性光学フィルム（異方性光拡散層）１００を透過し、反射部材３２で正反射されることになるので、外光Ｍは、光照射部３１から離れる方向へ導かれ、光照射部３１の前面に入射されにくくなる。これにより、外光の影響を十分に低減させることができる。
【０１３６】
また、本実施の形態では、異方性光学フィルム（異方性光拡散層）１００は、ルーバー構造の異方性光学フィルム（異方性光拡散層）１１０（２０）と、ピラー構造の異方性光学フィルム（異方性光拡散層）１２０（１０）と、があることについて説明した。上述したように、ＨＵＤ装置３を自動車に搭載する際に、ウインドシールド４０上での虚像５０の表示位置は、ウインドシールド４０とＨＵＤ装置３との配置関係、つまり、ウインドシールド４０と、ＨＵＤ装置３内に設けられる光照射部３１と反射部材３２と、の配置関係により固定される。このため、運転者のアイポイント（視点）ＥＰの高さ位置のバラツキに対しては対応することが困難である場合がある。なお、運転者のアイポイント（視点）ＥＰの高さ位置のバラツキは、例えば、車両を複数の利用者で使用する場合、運転する利用者の身長の高低によって生じるバラツキが考えられる。
【０１３７】
ここで、ルーバー構造の異方性光学フィルム（異方性光拡散層）１１０（２０）は、図２（ａ）の透過光の様子を見れば理解できるように、透過光は、略針状となっており、ＭＤ方向とＴＤ方向とで光拡散性が大きく異なる。すなわち、ルーバー構造の異方性光学フィルム２０では、拡散は異方性を有する。具体的には、図２に示す例では、ＭＤ方向ではピラー構造の場合よりも拡散が広がっているが、ＴＤ方向ではピラー構造の場合よりも拡散が狭まっている。
【０１３８】
この性質を利用し、例えば、車両の前後方向とＭＤ方向（図６の柱状領域１１３の短径ＳＡ側）とを一致させ、車両の車幅方向とＴＤ方向（図６の柱状領域１１３の長径ＬＡ側）とを一致させるようにして、図１の反射部材３２の反射面側に、ルーバー構造の異方性光学フィルム（異方性光拡散層）１１０（２０）を設ける。
【０１３９】
このようにすれば、ウインドシールド４０上に略針状の透過光の範囲で虚像５０が表示されることになるため、乗員は表示画像を視認する際に視線移動を極力少なくすることが可能であり、運転時の負担をより少なくすることが可能となる。すなわち、運転者のアイポイント（視点）ＥＰの高さ位置のバラツキに対しても対応することができる。
【０１４０】
また、本実施の形態では、ＨＵＤ装置３がウインドシールド４０の下方向のインストルメントパネル内部に収容されているものとして説明したが、インストルメントパネル内部の収容部が、インストルメントパネルを構成するパネル部材内に形成されており、この収容部に光照射部３１や反射部材３２等が配置されている場合には、インストルメントパネルを構成するパネル部材内で形成された収容部を、本実施形態の筐体３０としてもよい。なお、この場合には、インストルメントパネル部材内に設けられた開口窓に本実施形態の異方性光学フィルム（異方性光拡散層）１００を配置することになる。
【０１４１】
また、本実施の形態では、ＨＵＤ装置３を自動車に適用して説明したが、これに限られることなく、例えば、航空機、電車、工事用車両、遊技装置（例えば、パチンコやスロット等の表示）、ゲーム装置、医療装置等において利用可能性がある。
【実施例】
【０１４２】
次に、本発明を実施例及び比較例により、更に具体的に説明するが、本発明は、これらの例によって何ら限定されるものではない。
【０１４３】
＜＜異方性光学フィルムの製造＞＞
本発明の異方性光学フィルムは、以下に示す既存の方法（例えば、特開２００６−１１９２４１）により製造した。
【０１４４】
＜ピラー構造＞
厚さ７５μｍ、７６×２６ｍｍサイズのＰＥＴフィルム（東洋紡社製、商品名：Ａ４３００）の縁部全周に、ディスペンサーを使い硬化性樹脂で高さ０．２ｍｍの隔壁を形成した。この中に下記の紫外線硬化樹脂組成物を滴下し、別のＰＥＴフィルムでカバーした。
・２−（パーフルオロオクチル）−エチルアクリレート  ５０重量部（フッ素含有率６１％、共栄社化学社製、商品名：ライトアクリレートＦＡ−１０８）
・１，９−ノナンジオールジアクリレート  ５０重量部（フッ素不含、共栄社化学社製、商品名：ライトアクリレート１．９ＮＤ−Ａ）
・２−ヒドロキシ−２−メチル−１−フェニルプロパン−１−オン  ４重量部（チバ・スペシャルティ・ケミカルズ製、商品名：Ｄａｒｏｃｕｒｅ１１７３）
この両面をＰＥＴフィルムで挟まれた０．２ｍｍの厚さの液膜に対して、ＵＶスポット光源（浜松ホトニクス社製、商品名：Ｌ２８５９−０１）の落射用照射ユニットから垂直に、照射強度３０ｍＷ／ｃｍ２の平行光線である紫外線を１分間照射して、図２（ａ）又は図６（ｂ）に示すような棒状の微小な領域を多数有する異方性光拡散層を得た。
【０１４５】
＜ルーバー構造＞
上記ピラー構造と同じＰＥＴフィルムに挟まれた状態の紫外線硬化組成物に、上記ＵＶスポット光源の落射用照射ユニットから出射される平行光線の紫外線を透過光線のアスペクト比が２５となる指向性拡散要素を介して変換した線状光線の紫外線を、上記ピラー構造と同じ照射強度にて垂直に照射し、図２（ｂ）又は図６（ａ）に示すような屈折率の異なる略板状の領域を有する異方性光拡散層を得た。
【０１４６】
ここで、以下に説明する実施例に用いた異方性光拡散層は、上述したピラー構造とルーバー構造の２種類であり、それぞれ、図４に示す直線透過率を有する光学特性を示す。また、いずれの散乱中心軸は法線に対して約０°であり、拡散幅は散乱中心軸を基準に約−２０°〜＋２０°である。
【０１４７】
また、以下に説明する実施例に用いた拡散部材は、等方性拡散フィルムと指向性拡散フィルムを準備した。等方性拡散フィルムは、きもと社製ライトアップＵＫ４（ヘイズ約４６％）を用い、指向性拡散フィルムは、オプティカルソリューションズ社製ＬＳＤ（指向性を示す拡散の半値角が約５°）を用いた。
【０１４８】
さらに、以下に説明する実施例に偏光部材を用いる場合には、プラスチック製の偏光板を用い、ウインドシールド上に異方性光拡散層を用いる場合には、上述したルーバー構造の異方性光拡散層を用いた。
【０１４９】
＜評価装置＞
以下に説明する実施例の評価に用いたＨＵＤ装置としては、ＬＣＤプロジェクター方式を用いて、本実施形態の異方性光拡散層を有する反射部材に対し、ＬＣＤプロジェクターから照射される表示光の入射光角は、異方性光拡散層の平面法線から約＋１５°の位置として配置した。そして、表示光は、異方性光拡散層の正反射光角となる約−１５°を中心として反射され、ウインドシールドである透明ガラス板に表示を行った。
【０１５０】
（実施例１）
反射部材にピラー構造の異方性光拡散層を設けて、上述した評価装置で評価を行った。なお、実施例１の評価条件を表１に示し、表１に示した評価条件による光学特性等（ホットスポット、輝度、コントラスト、視野角）を評価した結果を表２に示した。
【０１５１】
（実施例２）
反射部材にルーバー構造の異方性光拡散層を設けて、上述した評価装置で評価を行った。なお、実施例２の評価条件を表１に示し、表１に示した評価条件による光学特性等（ホットスポット、輝度、コントラスト、視野角）を評価した結果を表２に示した。
【０１５２】
（実施例３）
反射部材にルーバー構造の異方性光拡散層を設け、ルーバー構造の異方性光拡散層上に等方性拡散フィルム＜きもと社製ライトアップＵＫ４（ヘイズ約４６％）＞を設けて、上述した評価装置で評価を行った。なお、実施例３の評価条件を表１に示し、表１に示した評価条件による光学特性等（ホットスポット、輝度、コントラスト、視野角）を評価した結果を表２に示した。
【０１５３】
（実施例４）
反射部材にルーバー構造の異方性光拡散層を設け、さらに、ルーバー構造の異方性光拡散層上に指向性拡散フィルム＜オプティカルソリューションズ社製ＬＳＤ（指向性を示す拡散の半値角が約５°）＞を設けて、上述した評価装置で評価を行った。なお、実施例４の評価条件を表１に示し、表１に示した評価条件による光学特性等（ホットスポット、輝度、コントラスト、視野角）を評価した結果を表２に示した。
【０１５４】
（実施例５）
反射部材にピラー構造の異方性光拡散層を設け、ピラー構造の異方性光拡散層上に等方性拡散フィルム＜きもと社製ライトアップＵＫ４（ヘイズ約４６％）＞を設けて、上述した評価装置で評価を行った。なお、実施例５の評価条件を表１に示し、表１に示した評価条件による光学特性等（ホットスポット、輝度、コントラスト、視野角）を評価した結果を表２に示した。
【０１５５】
（実施例６）
反射部材にピラー構造の異方性光拡散層を設け、ピラー構造の異方性光拡散層上に等方性拡散フィルム＜きもと社製ライトアップＵＫ４（ヘイズ約４６％）＞を設け、さらに、等方性拡散フィルム上に偏光板を設けて、上述した評価装置で評価を行った。なお、実施例６の評価条件を表１に示し、表１に示した評価条件による光学特性等（ホットスポット、輝度、コントラスト、視野角）を評価した結果を表２に示した。
【０１５６】
（実施例７）
反射部材にピラー構造の異方性光拡散層を設け、ピラー構造の異方性光拡散層上に等方性拡散フィルム＜きもと社製ライトアップＵＫ４（ヘイズ約４６％）＞を設け、さらに、等方性拡散フィルム上に偏光板を設けた。また、ウインドシールド下面にルーバー構造の異方性光拡散層を設けた上で、上述した評価装置で評価を行った。なお、実施例７の評価条件を表１に示し、表１に示した評価条件による光学特性等（ホットスポット、輝度、コントラスト、視野角）を評価した結果を表２に示した。
【０１５７】
（比較例１）
反射部材に対して、上述した評価装置で評価を行った。なお、比較例１の評価条件を表１に示し、表１に示した評価条件による光学特性等（ホットスポット、輝度、コントラスト、視野角）を評価した結果を表２に示した。
【０１５８】
（比較例２）
反射部材に等方性拡散フィルム＜きもと社製ライトアップＵＫ４（ヘイズ約４６％）＞を設け、上述した評価装置で評価を行った。なお、比較例２の評価条件を表１に示し、表１に示した評価条件による光学特性等（ホットスポット、輝度、コントラスト、視野角）を評価した結果を表２に示した。
【０１５９】
（比較例３）
反射部材に指向性拡散フィルム＜オプティカルソリューションズ社製ＬＳＤ（指向性を示す拡散の半値角が約５°）＞を設け、上述した評価装置で評価を行った。なお、比較例３の評価条件を表１に示し、表１に示した評価条件による光学特性等（ホットスポット、輝度、コントラスト、視野角）を評価した結果を表２に示した。
【０１６０】
（比較例４）
反射部材に指向性拡散フィルム＜オプティカルソリューションズ社製ＬＳＤ（指向性を示す拡散の半値角が約５°）＞を設け、さらに、指向性拡散フィルム上に偏光板を設けて、上述した評価装置で評価を行った。なお、比較例４の評価条件を表１に示し、表１に示した評価条件による光学特性等（ホットスポット、輝度、コントラスト、視野角）を評価した結果を表２に示した。
【０１６１】
2018025722.tif 000003
【０１６２】
2018025722.tif 000004
【０１６３】
＜＜評価方法＞＞
上記の実施例及び比較例の異方性光学フィルムに関し、以下のようにして評価を行った。
【０１６４】
ＬＣＤプロジェクターのバックライト光源に起因するホットスポットの有無、輝度（明所および暗所）、コントラスト（暗所）、視野角（アイポイント）について、視認性の観点（評価項目）から目視評価にて行った。具体的には、１０人の視認者の得点（各項目５点満点）の平均で評価を行った。
【０１６５】
＜評価項目の得点基準＞
表２における各評価項目の得点基準は以下の通りである。
「ホットスポット」
１（強く有り）〜５（なし）
「輝度（明所および暗所）」
１（暗い）〜５（明るい）
「コントラスト（暗所）」
１（低い）〜５（高い）
「視野角（アイポイント）」
（狭い）〜５（広い）
【０１６６】
＜＜評価結果＞＞
実施例は全ての評価項目において総合（合計点）が１３点以上と高いレベルの特性をバランス良く有していた。一方で、比較例はいずれも総合（合計点）が１０点に満たない非常に悪い結果であった。
【０１６７】
より詳細には、表２に示すとおり、実施例の異方性光学フィルムは、ホットスポット、輝度（明所および暗所）、コントラスト（暗所）、視野角（アイポイント）の全ての評価項目において高いレベルの特性をバランス良く有していた。実施例１では輝度とコントラストが高いレベルで優れており、実施例２では、輝度と視野角が高いレベルで優れていた。また、実施例３と実施例４では、輝度を確保しつつホットスポットを低減できている点が優れていた。さらに、実施例５では、輝度を確保しつつホットスポットを低減できている点が優れており、実施例６では、コントラストを向上させつつ、ホットスポットについて最高点がついている点で優れていた。特に、実施例７では、ホットスポット、コントラスト、視野角について最高点がついており、非常に高いレベルの特性を有していた。一方で、比較例は特定の項目（例えば、輝度）においては実施例よりも優れている評価を有するものもあったが、実施例のようにホットスポット、輝度（明所および暗所）、コントラスト（暗所）、視野角（アイポイント）の全ての評価項目において高いレベルを有しているものは無かった。
【０１６８】
従って、実施例の異方性光学フィルムを、例えば、ＨＵＤ装置に用いた場合に、優れた表示特性（輝度やコントラスト等）を持ちながら、外光の影響を十分に低減させて視認性を確保することができる。
【０１６９】
以上、図面を参照しながら本発明の好適な実施の形態について説明したが、本発明は上述した形態に限定されない。すなわち、特許請求の範囲に記載された発明の範囲内で当業者が想到し得る他の形態又は各種の変更例についても本発明の技術的範囲に属するものと理解される。
【符号の説明】
【０１７０】
３      ＨＵＤ装置
３０    筐体
３１    光照射部
３２    反射部材
３３    開口部
３４    コンバイナ（透光性部材）
４０    ウインドシールド（透光性部材）
４１    投射エリア
５０    虚像
６０    拡散部材
７０    偏光部材
ＥＰ    アイポイント（視点）
１００  異方性光学フィルム（異方性光拡散層）
４００  異方性光学フィルム（異方性光拡散層）
Ｌ      表示光
Ｍ      外光（太陽光）
Ｐ      散乱中心軸
【図１】
2018025722.tif 000005
【図２】
2018025722.tif 000006
【図３】
2018025722.tif 000007
【図４】
2018025722.tif 000008
【図５】
2018025722.tif 000009
【図６】
2018025722.tif 000010
【図７】
2018025722.tif 000011
【図８】
2018025722.tif 000012
【図９】
2018025722.tif 000013
【図１０】
2018025722.tif 000014
【図１１】
2018025722.tif 000015
【図１２】
2018025722.tif 000016
【図１３】
2018025722.tif 000017